(57)【要約】【課題】  両側面に光触媒をコートした放電板と、前記放電板に一定の間隔で離隔する放電部とを備え、前記光触媒に紫外線などの光を照射すると共に、前記放電板及び放電部に電圧を供給することにより、汚染物質を除去する光電子触媒浄化装置と、前記光電子触媒浄化装置を用いて、空気中の汚染物質、特に揮発性有機化合物などを除去する方法を提供する。【解決手段】  陽極として作用する放電板（１０）の前後面に光触媒層（５０、５０′）をコートし、前記光触媒層（５０、５０′）から離隔して、陰極として作用する二つ以上の放電部（２０）を設け、前記放電部（２０）に隣接して、前記光触媒層（５０、５０′）に光を照射する光源（４０）を設け、前記放電板（１０）及び前記放電部（２０）に、前記放電板（１０）及び前記放電部（２０）に電圧を供給する電源（３０）を連結する。【選択図】図１
2005199235.tif 000002
【特許請求の範囲】
【請求項１】
陽極として作用する放電板（１０）と、
前記放電板（１０）の前後面にコートされた光触媒層（５０、５０′）と、
前記光触媒層（５０、５０′）から離隔して設けられる、陰極として作用する二つ以上の放電部（２０）と、
前記放電部（２０）に隣接して設けられ、前記光触媒層（５０、５０′）に光を照射する光源（４０）と、
前記放電板（１０）及び前記放電部（２０）に連結され、前記放電板（１０）及び前記放電部（２０）に電圧を供給する電源（３０）と、を含んでなることを特徴とする光電子触媒浄化装置。
【請求項２】
空気循環用ファン（６０）、空気汚染程度を測定する汚染測定センサ（７０）、及び集塵用フィルタ又は活性炭を基本物質とするフィルタのなかで一つ以上、をさらに含むことを特徴とする請求項１に記載の光電子触媒浄化装置。
【請求項３】
前記放電板（１０）が、アルミニウム又は銅からなることを特徴とする請求項１又は２に記載の光電子触媒浄化装置。
【請求項４】
前記光触媒層（５０、５０′）が、ＴｉＯ2、ＷＯ3、ＳｒＴｉＯ3、ＳｎＯ3、ＺｎＯ、ＣｄＳ、ＺｎＳ、ＭｏＳ2、α−Ｆｅ2Ｏ3、α−ＦｅＯＯＨ、β−ＦｅＯＯＨ及びδ−ＦｅＯＯＨからなる群から選択される１種以上の混合物からなることを特徴とする請求項１又は２に記載の光電子触媒浄化装置。
【請求項５】
前記光触媒（５０、５０′）に、遷移金属酸化物又は貴金属が添加されることを特徴とする請求項４に記載の光電子触媒浄化装置。
【請求項６】
請求項１ないし５のいずれか１項に記載の光電子触媒浄化装置を用いて流体を処理する汚染物質除去方法。
【発明の詳細な説明】
【技術分野】
【０００１】
本発明は光電子触媒浄化装置（光電子触媒を用いる汚染物質除去装置）及びこれを用いる汚染物質の処理方法（汚染物質浄化（汚染物質除去）方法）に係り、より詳しくは高電圧の放電板に光触媒をコートして光触媒層を形成した後、この光触媒層に光を照射することにより、空気のような流体中に含有された各種の汚染物質、例えば揮発性有機化合物、タバコ煙のような粒子性物質、飲食物の臭いなどの悪臭性物質などを除去する光電子触媒浄化装置及びこれを用いる汚染物質の処理方法に関するものである。
【背景技術】
【０００２】
一般の光触媒を用いて汚染物質を処理する装置は、紫外線ランプ及び光触媒からなっている。その例として、特許文献１には、不織布、活性炭、ゼオライトなどのフィルタに二酸化チタン（ＴｉＯ2）、酸化亜鉛（ＺｎＯ）及び銀などでコートされた、光触媒を用いるフィルタが開示されており、特許文献２には、光触媒を用いて揮発性有機化合物を処理する方法が開示されており、特許文献３には、酸化チタンを用いる水処理装置が開示されている。
【０００３】
前述した光触媒を用いる汚染物質処理装置は、光触媒の光触媒反応を用いて汚染物質を処理するものである。前記光触媒反応とは、バンドギャップエネルギー（band gap energy）以上の光エネルギーを光触媒に照射したとき、前記光触媒の価電子帯に満たされた電子が励起して伝導バンドに移動することにより、伝導バンドに電子が荷電され、価電子帯に正孔が発生し、前記正孔により生成される水酸化ラジカル（・ＯＨ）の強力な酸化力により、光触媒表面に吸着された気相又は液相の有機物が分解される反応をいう。
【０００４】
一方、前述した自由電子は還元反応を引き起こすが、主として酸素を活性酸素種に転換させる（非特許文献１）。
【０００５】
特に、前述した光触媒反応により揮発性有機化合物及びタバコ煙などのような汚染物質を処理する場合、前記汚染物質は電子ドナー（donor）として価電子帯に残っている正孔に電子を提供し、自身は酸化して分解される。このような過程により、空気のような流体に含まれた汚染物質が酸化して除去される。
【０００６】
このように、光触媒酸化反応を主として正孔と電子により行われるので、電子−正孔の再結合を防止してその寿命を延長させることが、まさに光触媒の活性を増大させることである。光触媒上の電子−正孔の寿命は、伝導バンドに励起された電子が光触媒の表面に吸着された受容体に伝達される速度、及び価電子帯に形成された正孔にドナーの電子が伝達される速度によって決定される。
【０００７】
ところが、これまで空気などを浄化するための浄化装置に主に使用されてきた光半導体システム（photo-semiconductor system）、一名光触媒システムは、一般に時間の経過につれて、励起された電子が価電子帯の正孔に再結合して光触媒の活性が低下するという問題点などがあった。
【０００８】
特に、電子と正孔が再結合すると、光半導体が汚染物質を酸化分解する能力を喪失するので、結果的に光触媒システムの空気浄化能力が低下することになる。
【０００９】
このような問題点を克服するため、電子と正孔の再結合を防止するための方法が、持続的に開発されてきている。その一例として、特許文献４には、電子−正孔の再結合を減少させるため、電子受容体であるオゾン又はオゾン化酸素と過酸化水素の雰囲気で光触媒反応を行う方法が開示されている。
【００１０】
有害物質を除去するほかの方法として、光半導体システムのほかにも、高電圧放電集塵システム（high voltage discharger & collector system or electrostatic precipitator）の電気浄化方法がある。これは、主に空気中の汚染物質を除去するために使用されるもので、空気中の埃、タバコ煙など、比較的粒子の大きい汚染物質を除去するのに優れた効果を奏しているが、吸着し難い揮発性有機化合物などを処理するには限界がある。
【００１１】
また、高電圧放電時に発生するオゾン（Ｏ3）のため、低濃度（０．１２ｐｐｍ以下）で空気中に存在する汚染物質を酸化させ、殺菌することは問題がないであろうが、前記低濃度以上の濃度の空気中汚染物質を酸化及び殺菌する場合、密閉空間で長時間使用すると、年寄り、弱者及び乳児などの人体に有害な影響を及ぼし得るという問題点などがある。
【特許文献１】大韓民国特許出願第１９９９−００５２８３８号明細書
【特許文献２】大韓民国特許出願第２０００−００３４９０８号明細書
【特許文献３】大韓民国特許出願第２０００−００２９９９０号明細書
【特許文献４】米国特許第５，１２６，１１１号明細書
【非特許文献１】Fujishima, A. and Honda, K., Nature, 1972, Vol.37, 238
【非特許文献２】David A. Ward and Edmon I. Ko., Preparing Catalytic Materials by the Sol-Gel Method, Ind. Eng. Chem. Res. 34, 421-433(1995)
【発明の開示】
【発明が解決しようとする課題】
【００１２】
したがって、本発明者らは光触媒システム及び高電圧放電システムが持っている問題点を認識し、これを解決するために鋭意研究した結果、放電板の両側面に光触媒をコートした後、前記放電板に電圧を印加しながら光を照射する場合、光触媒反応により発生した電子と正孔が再結合しない点を見つけて本発明を完成することになった。
【００１３】
本発明は、前述したような問題点を克服するためになされたもので、放電板の両側面に光触媒をコートし、前記放電板に一定の間隔で離隔する放電部を設けた後、前記光触媒に紫外線などの光を照射するとともに、前記放電板及び放電部に電圧を供給することにより、汚染物質を除去する光電子触媒浄化装置を提供することにその技術的課題がある。
【００１４】
また、本発明は、前記光電子触媒浄化装置を用いて、空気中の汚染物質、特に揮発性有機化合物などを除去することにほかの技術的課題がある。
【課題を解決するための手段】
【００１５】
前記のような課題を解決するために、本発明は、陽極として作用する放電板と、前記放電板の前後面にコートされた光触媒層と、前記光触媒層から離隔して設けられる、陰極として作用する二つ以上の放電部と、前記放電部に隣接して設けられ、前記光触媒層に光を照射する光源と、前記放電板及び前記放電部に連結され、前記放電板及び前記放電部に電圧を供給する電源とを含んでなる光電子触媒浄化装置を提供する。
【００１６】
また、本発明は、前記光電子触媒浄化装置を用いて汚染物質を処理する方法を提供する。
【発明の効果】
【００１７】
以上のような本発明によると、空気中に含まれている揮発性有機物質、タバコ煙などのような粒子性汚染物質を処理することができるだけでなく、キムチの臭いなどの除去にも用いることができる効果がある。
【００１８】
また、本発明は、都心から発生するオゾンの処理にも活用することができ、次世代の代替エネルギー源である水素を、光触媒水分解反応から得ることができるので、清浄エネルギーの開発にも寄与する。
【発明を実施するための最良の形態】
【００１９】
本発明による光電子触媒浄化装置は流体、特に汚染物質を含有する空気を除去するためのものであるが、前記汚染物質としては、タバコ煙、埃などのような粒子性物質、アルデヒド、ベンゼンのような揮発性有機化合物、飲食物臭いなどのような芳香性化合物質を含む。
【００２０】
集塵器（dust collector electrodes）、放電線（discharging wire）などからなる従来の電気集塵方式の空気浄化装置は、粒子性物質を除去することはできるが、揮発性有機化合物のような化学物質を除去することができず、多量のオゾンを発生させるという限界（問題）があり、反面、光触媒を用いる空気浄化装置は粒子性物質をよく除去することができない問題点があった。
【００２１】
これに対して、本発明による光電子触媒浄化装置は、粒子性物質だけでなく揮発性有機物質までも除去するとともに、発生するオゾンの量を減少させることができるという特徴がある。
【００２２】
本発明による放電板は、光触媒がコートされて光触媒層が形成された基材であって、前記光触媒に励起された電子を吸入して電子−正孔の再結合を防止することにより、光触媒の活性を長時間維持させるだけでなく、荷電された粒子性物質を捕集して除去し、放電システムから発生したオゾンを光酸化反応の酸化剤として活用することにより、浄化装置の外部へ排出されるオゾンの量を減少させる役割を果たす。
【００２３】
このような放電板は、光触媒層で励起された電子を吸収して、前記光触媒層を構成する光触媒の酸化反応の活性点を一定に維持させるためのもので、電荷を伝達し得る伝導性物質であればどんなものであってもかまわないが、好ましくは金属性物質がよく、特に好ましくはアルミニウム、銅などがよい。
【００２４】
一方、前記放電板は、光触媒層の表面積を最大にするとともに、汚染物質を含む空気などの流体が円滑に流れるようにする形態であればどんなものを使用してもかまわないが、好ましくは板状に構成することがよい。
【００２５】
必要に応じて、前記放電板は、汚染物質を含む空気の流れを可能にするため、尖っている形態の放電部の針が有する最小広さに相当する面積の孔を有し得るが、これは本発明による光電子触媒浄化装置の背圧負荷を減少させて空気の流れを助け、ファンの効率を増加させてエネルギー消耗を減少させる。
【００２６】
一方、前述した放電板は、多量の紫外線照射が可能な開放型形態が好ましい。
【００２７】
本発明による光触媒層は、光触媒を放電板、好ましくは板状の放電板の前後面にコートしてなるものである。前記光触媒は光エネルギーを化学エネルギーに転換し得る物質、例えば金属化合物などであればどんなものを使用してもかまわないが、好ましくはＴｉＯ2、ＷＯ3、ＳｒＴｉＯ3、ＳｎＯ3、ＺｎＯなどの金属酸化物、ＣｄＳ、ＺｎＳ、ＭｏＳ2などの金属硫化物、α−Ｆｅ2Ｏ3、α−ＦｅＯＯＨ、β−ＦｅＯＯＨ、δ−ＦｅＯＯＨなどの鉄化合物又はこれらの混合物を使用することがよく、より好ましくは二酸化チタン（ＴｉＯ2）を使用することがよい。
【００２８】
この際、前記光触媒を構成する金属化合物は半導体であって、価電子帯Ｅ、伝導バンドＤ、バンドギャップＧを有し、前記バンドギャップＧは光触媒の種類によって違う固有値を有する。
【００２９】
特に、本発明による光触媒として使用可能な二酸化チタンの場合、バンドギャップＧはおよそ３ｅＶであり、波長に換算すると４００ｎｍである。したがって、４００ｎｍより短い波長の光が前記二酸化チタンに照射されると、価電子帯の電子が励起される。
【００３０】
本発明による放電部は、銅などのような導電性に優れた金属性の物質からなり、その形状は、光源、好ましくは紫外線などを発生させる光源から照射される光の流れを妨害せずに放電板に伝達し得る開放型が好ましい。
【００３１】
必要に応じて、放電がよくなされるように、前記放電部の一側に尖っている針を多数設けることができる。前記針として使用可能な物質としては、伝導性物質であればどんなものを使用してもかまわないが、銅などを使用することが好ましい。
【００３２】
本発明による光源は、前記光触媒層に光を照射するためのもので、可視光線及び／又は紫外線などの光を放出するものであればどんなものを使用してもかまわないが、好ましくは紫外線ランプ、白熱電灯、水銀ランプなどを使用することがよい。
【００３３】
本発明による電源は、前記放電板と放電部に連結され、前記放電板及び放電部に電圧、好ましくは高電圧（３０００Ｖ〜２００００Ｖ）を提供するためのもので、前記放電板及び放電部に電圧を供給し得る装置であれば、当業界で通常使用するどんな装置を使用してもかまわないし、必要に応じて前記放電板と放電部に高電圧を提供するため、電圧を上昇させ得る昇圧手段を別に備えることもできる。
【００３４】
以下、添付図面に基づいて本発明による光電子触媒浄化装置を詳細に説明する。
【００３５】
図１は本発明による光電子触媒浄化装置を示す構成図、図２は本発明による光触媒の作用原理を示す図、図３は本発明による放電板の電子の流れを示す構成図である。
【００３６】
本発明による光電子触媒浄化装置は、陽極として作用する放電板１０と、前記放電板１０の前後面にコートされた光触媒層５０、５０′と、前記光触媒層５０、５０′から離隔して設けられる陰極として作用する二つ以上の放電部２０と、前記放電部２０に隣接して設けられ、前記光触媒層５０、５０′に光を照射する光源４０と、前記放電板１０と放電部２０に連結され、前記放電板１０と放電部２０に電圧を供給する電源３０とからなる。
【００３７】
本発明による放電板１０は、その前後面に光触媒でコートされた光触媒層５０、５０′が設けられる場所を提供する基材であって、その一側に電源３０が連結されて、前記電源３０から電圧を受ける。
【００３８】
この際、前記放電板１０の前後面は、前記放電板１０、特に板状の放電板１０の一側面を任意に表面とすると、前記表面の反対側面を裏面という。
【００３９】
前述した放電板１０は、前記電圧の供給により励起された電子を吸収して、前記光触媒層５０、５０′を構成している光触媒の酸化反応活性点を一定に維持させる役割をするものであって、電荷を伝達し得る伝導性物質であればどんなものであってもかまわないが、好ましくは金属性物質がよく、特に好ましくはアルミニウム、銅などがよい。
【００４０】
必要に応じて、前記放電板１０は、汚染物質を含む空気の流れを可能にするため尖っている形態を有する放電部２０の針２５の最少面積に相当する面積の孔（図示せず）を有することができる。これは、本発明による光電子触媒浄化装置の背圧負荷を減少させて空気の流れを助けファンの効率を増大させてエネルギー消耗を減少させる。
【００４１】
本発明において、光触媒層５０、５０′は光触媒を放電板１０、好ましくは板状の放電板１０の前後面にコートしてなるものであり、前記光触媒は光エネルギーを化学エネルギーに転換し得る物質、例えば金属化合物などであればどんなものを使用してもかまわないが、好ましくはＴｉＯ2、ＷＯ3、ＳｒＴｉＯ3、ａ−Ｆｅ2Ｏ3、ＳｎＯ3、ＺｎＯなどの金属酸化物、ＣｄＳ、ＺｎＳ、ＭｏＳ2などの金属硫化物、α−Ｆｅ2Ｏ3、α−ＦｅＯＯＨ、β−ＦｅＯＯＨ、δ−ＦｅＯＯＨなどの鉄化合物、又はこれらの混合物を使用することがよく、より好ましくは二酸化チタン（ＴｉＯ2）を使用することがよい。
本発明による放電板１０はその前後面に光触媒をコートしてなる光触媒層５０、５０′が設けられる。前記放電板１０に光触媒をコートするための方法は、当業界に通常に知られているコート法（非特許文献２参照）であればどんな方法を使用してもかまわない。
【００４２】
ここで、前記光触媒を放電板１０の表面に容易に付着するためバインダを使用することができるが、使用可能なバインダの成分としては珪素化合物などが挙げられる。
【００４３】
一方、前記光触媒を放電板１０にコートして光触媒層５０、５０′を構成するに際して、前記光触媒層５０、５０′の伝導性及び光触媒活性を向上させるため、酸化すず（ＳｎＯ2）のような遷移金属酸化物、又は白金などのような貴金属を、光触媒層５０、５０′の光触媒の総重量に対して１〜１０重量％添加して構成することができる。
【００４４】
本発明による放電部２０は、前記放電板１０の前後面に平行に、かつ一定の間隔、好ましくは０．７ｃｍの間隔で離隔して設けられ、前記各放電部２０の一側には電源３０が連結されるので、前記電源３０から電圧を受けることになる。
【００４５】
このような放電部２０は銅などのような導電性に優れた金属性の物質からなり、その形状は、光源４０、好ましくは紫外線などを発生する光源４０から照射される光の流れを妨害しなく、放電板１０の光触媒層５０、５０′に伝達し得る開放型が好ましい。
【００４６】
必要に応じて、前記放電部２０は、放電板１０の前後面に設けられた光触媒層５０、５０′と対向する一側面に多数の針２５を有する形態に構成することができる。
【００４７】
本発明による光源４０は前記光触媒層５０、５０′に光を照射するためのものであって、可視光線及び／又は紫外線などの光を放出するものであればどんなものを使用してもかまわないが、好ましくは紫外線ランプ、白熱電灯、水銀ランプなどを使用することがよく、装置の大きさによって容量及び数を調節することができ、前記光源４０、放電部２０及び放電板１０を繰り返し配置することにより、汚染物質の処理効果を増大させることができる。
【００４８】
本発明による電源３０は前記放電板１０と放電部２０に連結されて前記放電板１０及び放電部２０に電圧、好ましくは高電圧を印加するためのもので、前記放電板１０及び放電部２０に電圧、好ましくは３０００Ｖ〜２００００Ｖの電圧を印加し得る装置であれば当業界で通常に使用するどんなものを使用してもかまわなく、必要に応じて前記放電板１０と放電部２０に高電圧を印加するために電圧を上昇させ得る昇圧手段（図示せず）を別に備えることもできる。
【００４９】
ここで、前記昇圧手段とは家庭用電圧（例えば２２０Ｖ）を、およそ３０００Ｖ〜２００００Ｖの電圧に昇圧し得るものをいう。
【００５０】
一方、本発明による光電子触媒浄化装置は、汚染物質を含む空気の流量調節及び空気の流れのため、必要に応じてファン６０をさらに含むこともできる。前記ファン６０は前記汚染物質を含む空気の移動経路に設けられ、好ましくは放電板１０の後方に位置することがよい。
【００５１】
また、本発明による光電子触媒浄化装置は、空気中に存在する汚染物質の濃度を感知し得る汚染測定センサ７０を備え、前記汚染測定センサ７０により測定された汚染程度に基づいて光電子触媒浄化装置及び前記ファン６０の作動を調節することができる。
【００５２】
また、本発明による光電子触媒浄化装置は、必要に応じて、集塵用フィルタ（図示せず）又は活性炭を基本物質とするフィルタ（図示せず）などを、汚染物質を含む空気の移動経路に設けて使用することもできる。
【００５３】
このような構成を有する本発明による光電子触媒浄化装置の作動メカニズムを説明する。
【００５４】
外部から汚染物質を含む空気が流入すると、放電板１０及び放電部２０に連結された電源３０から高電圧、好ましくは３０００Ｖ〜２００００Ｖの電圧を印加するとともに、光源４０に電流を供給して紫外線などの光を発生させる。
【００５５】
ここで、前記放電板１０に前記電源３０の陽極を連結し、前記放電部２０には電源２０の陰極を連結し、前記外部から流入する汚染物質の流量を調節するため、必要に応じて、光電子触媒浄化装置の一側に設けられたファン６０を作動させることができる。
【００５６】
その後、前記流入した汚染物質は前記放電部２０を通過し、電気エネルギーを受けてプラズマ形態に変換されて荷電される。
【００５７】
この際、前記荷電された汚染物質は、放電板１０の光触媒層５０、５０′の表面に接触する瞬間、荷電された汚染物質のエネルギーが光触媒の電子を励起させて光触媒の活性を増大させることができる。
【００５８】
その後、前記光源４０から発生した光が放電板１０の前後面に設けられた光触媒層５０、５０′に照射されると、前記光触媒層５０、５０′を構成する光触媒の内部に電子（ｅ―）及び正孔（ｈ+）が生成され、前記電子及び正孔は空気中に存在する汚染物質と反応して、Ａ（電子受容体）はＡ-に還元され、Ｒ（電子ドナー）はＲ+に酸化される。
【００５９】
これをより詳しく説明すると、光源４０から発生した光がバンドギャップ（Ｇ）以上に光触媒に照射されると、光触媒内の価電子帯Ｅに満たされた電子が、図２に示すように、伝導バンドＤに移動する電子の冷気現象が発生し、前記励起された電子（ｅ―）が有する還元力より正孔（ｈ+）が有する酸化力がずっと大きくなる。したがって、殆どの場合、電子が励起されると、価電子帯Ｅに残っている正孔が空気中に含まれた汚染物質から電子を受けて汚染物質を酸化分解させる。
【００６０】
その一例として、揮発性有機化合物の場合は、下記の化学式１のように、水と二酸化炭素に酸化されて除去される。
【００６１】
ＶＯＣ（揮発性有機化合物）→ＣＯ2＋Ｈ2Ｏ      （化学式１）
ここで、前記光電子触媒浄化装置は、陽極の放電板１０及び陰極の放電部２０に印加される高電圧により、前記陰極の放電部２０から生成される電子が陽極の放電板１０に移動し、これにより、光触媒内で励起された電子が高電圧の放電板１０に流入し、光触媒反応により発生した前記電子と正孔が活性状態に維持される状態、つまり前記電子と正孔が再結合し得ない状態となる。
【００６２】
このような作動メカニズムを有する本発明による光電子触媒浄化装置は、必要に応じて、その一側に設けられた汚染測定センサ７０で汚染物質の濃度を測定して、ファン６０の作動速度、及び電源３０から供給される電圧などを調節することができる。
【００６３】
一方、本発明による光電子触媒浄化装置の高電圧放電は、電気集塵効果を奏する。すなわち、空気中に含まれた埃粒子を高電圧の印加された放電板１０に吸着させるとともにオゾン（Ｏ3）を生成し、このオゾンは強力な酸化剤として作用して汚染物質、特に揮発性勇気化合物などを酸化させて汚染物質を処理する。
【００６４】
以下、実施例に基づいて本発明を具体的に説明する。下記の実施例は単に本発明を具体的に説明するためのもので、これらの実施例に本発明の範囲が限定されるものではない。
【００６５】
〔実施例１〕
図１に示すような装置を構成するため、１０Ｌの密閉反応器の内部に、厚さ０．１ｃｍ、広さ１６．５ｃｍ×１０．５ｃｍのアルミニウム材からなる放電板の前後面に、光触媒として試料等級の二酸化チタン（anatase）粉末を４μｍの厚さにコートして光触媒を構成した放電板を取り付けた後、前記放電板の前後方に、前記放電板に平行に銅材質の放電板を設けた。
【００６６】
その後、前記１０Ｌの密閉反応器の内部に設けられた放電板に、光が均等に照射されるように、紫外線ランプとしてＧＬＫ８ＣＱ（ＵＶ−Ｃ）［Aankyodenki Co.,日本］を取り付けた後、前記放電板及び放電部に電源［ＳＪ−１６０８５Ｋ、（株）清風、韓国］を連結した。
【００６７】
つぎに、前記１０Ｌの密閉反応器の内部に、ベンゼンを１ｖｏｌ％の濃度となるように充填した後、電源を印加してベンゼンを除去した。
【００６８】
前記ベンゼンの除去において、反応時間別にガスクロマトグラフィー（HP-6890）［Hewlett Packard、米国］を用いてベンゼンの造成を分析し、ＦＩＤ方式のＧＣ検出器［Hewlett Packard、米国］を用いてベンゼンの濃度を測定した。
【００６９】
ここで、前記ガスクロマトグラフィーの温度は、流入口で２００℃、オーブンで５０〜１５０℃（昇温速度：５℃／分）、検出器で２５０℃であり、ガスクロマトグラフィーのコラムはＨＰ−５［Hewlett Packard、米国］であり、キャリアガスはヘリウム（Ｈｅ）であり、流速は２０ｍｌ／分であった。
【００７０】
その結果は図４に示した。
【００７１】
〔比較実施例〕
実施例１と同様な方法で実施するが、前記光触媒を放電板の一側面にだけコートして光触媒層を構成した。その結果は図４に示した。
【００７２】
図４に示すように、光触媒を放電板の前後面にコートして使用した実施例１は、汚染物質であるベンゼンを全て処理するのに１０００分の時間がかかったが、前記放電板の一側面にだけ光触媒をコートして使用した比較実施例は３００００分が経過してもベンゼンが全く除去されなかった。このような結果から、前記実施例１は比較実施例より短時間に多量のベンゼンを処理することが分かる。
【００７３】
以上説明したように、本発明が属する技術分野における当業者は、本発明の技術的思想又は必須特徴を変更しないでほかの具体的な形態に実施することができる。したがって、前述した実施例は全ての面で例示的なものであり、限定的なものではないものと理解しなければならない。本発明の範囲は、前記詳細な説明よりは、特許請求の範囲の意味及び範囲とその等価概念から導出できる全ての変更又は変更の形態が、本発明の範囲に含まれるものと解釈しなければならない。
【産業上の利用可能性】
【００７４】
本発明は、空気のような流体中に含有された各種の汚染物質、例えば揮発性有機化合物、タバコ煙のような粒子性物質、飲食物の臭いなどの悪臭性物質などを除去するための光電子触媒浄化装置に適用できる。
【図面の簡単な説明】
【００７５】
【図１】本発明による光電子触媒浄化装置を示す構成図である。
【図２】本発明による光触媒の作用原理を示す図である。
【図３】本発明による放電板の電子の流れを示す構成図である。
【図４】本発明による光電子触媒浄化装置の、時間によるベンゼンの分解を示すグラフである。
【符号の説明】
【００７６】
１０    放電板
２０    放電部
２５    針
３０    電源
４０    光源
５０、５０′    光触媒層
６０    ファン
７０    汚染測定センサ
【図１】
2005199235.tif 000003
【図２】
2005199235.tif 000004
【図３】
2005199235.tif 000005
【図４】
2005199235.tif 000006